(57)【要約】【課題】車両用バッテリの交換を行うステーションで使用する電力量を予測する。【解決手段】電力量予測装置は、電気で駆動する車両に対して着脱可能なバッテリを交換するためのステーションにおいて使用する電力量を予測する電力量予測装置であって、ステーションを設置する地点において、ステーションと共に設置する太陽光発電装置の予め定められた期間における発電量を予測する発電量予測部と、ステーションが地点に設置された場合に、ステーションで見込まれるバッテリの期間における交換量を予測する交換量予測部と、発電量予測部により予測された発電量と交換量予測部により予測された交換量とに基づいて、予め定められた期間にステーションにおいて系統を使用する使用電力量を予測する使用電力量予測部と、を備える。【選択図】図２
2020154429.tif 000002
【特許請求の範囲】
【請求項１】
電気で駆動する車両に対して着脱可能なバッテリを交換するためのステーションにおいて使用する電力量を予測する電力量予測装置であって、
前記ステーションを設置する地点において、前記ステーションと共に設置する太陽光発電装置の予め定められた期間における発電量を予測する発電量予測部と、
前記ステーションが前記地点に設置された場合に、前記ステーションで見込まれる前記バッテリの前記期間における交換量を予測する交換量予測部と、
前記発電量予測部により予測された前記発電量と前記交換量予測部により予測された前記交換量とに基づいて、前記期間に前記ステーションにおいて系統を使用する使用電力量を予測する使用電力量予測部と、を備える電力量予測装置。
【請求項２】
前記発電量予測部は、前記太陽光発電装置の設置面積と、前記地点における日射量とに基づいて、前記発電量を予測する請求項１に記載の電力量予測装置。
【請求項３】
前記交換量予測部は、前記地点を含む地域の情報と、前記ステーションに収容される前記バッテリの収容個数と、に基づいて前記交換量を予測する請求項２に記載の電力量予測装置。
【請求項４】
前記使用電力量予測部は、
前記期間における前記発電量と前記交換量とに基づいて、前記期間に前記系統へ売電する価格を予測する売電価格予測部と、
前記期間における前記発電量と前記交換量とに基づいて、前記期間に前記系統から買電する価格を予測する買電価格予測部と、を備える請求項３に記載の電力量予測装置。
【請求項５】
前記使用電力量予測部は、
前記設置面積と前記収容個数とを変数とした場合に予測される前記売電する価格と、前記設置面積と前記収容個数とを変数とした場合に予測される前記買電する価格との和が閾値以下となる前記設置面積と前記収容個数とを出力する演算部を備える請求項４に記載の電力量予測装置。
【請求項６】
前記使用電力量予測部により予測された前記使用電力量と、前記交換量予測部により予測された交換量に対応する、前記太陽光発電装置を用いずに前記系統を使用したときの電力量とを、比較可能に表示する表示部をさらに備える請求項１から５のいずれか１項に記載の電力量予測装置。
【請求項７】
前記発電量及び前記交換量と、前記太陽光発電装置の製造および廃棄プロセスにおける二酸化炭素排出量と、前記太陽光発電装置の耐用年数および設置面積と、前記系統において予め定められた電力を発電するために生じる二酸化炭素排出量の情報とから、前記太陽光発電装置を設置した場合に前記ステーションにおいて使用する電力の発電のために単位期間あたりに生じる二酸化炭素排出量と、前記太陽光発電装置を設置しない場合に前記ステーションにおいて使用する電力の発電のために前記単位期間あたりに生じる二酸化炭素排出量と、を算出する二酸化炭素排出量予測部を備える請求項１から６のいずれか１項に記載の電力量予測装置。
【請求項８】
前記二酸化炭素排出量予測部により計算された、前記太陽光発電装置を設置した場合に生じる二酸化炭素排出量と、前記太陽光発電装置を設置しない場合に生じる二酸化炭素排出量と、を比較可能に表示する表示部をさらに備える請求項７に記載の電力量予測装置。
【請求項９】
電気で駆動する車両に対して着脱可能なバッテリを交換するためのステーションにおいて使用する電力量を予測する電力量予測方法であって、
前記ステーションを設置する地点において、前記ステーションと共に設置する太陽光発電装置の予め定められた期間における発電量を予測する発電量予測段階と、
前記ステーションが前記地点に設置された場合に、前記ステーションで見込まれる前記バッテリの前記期間における交換量を予測する交換量予測段階と、
前記発電量予測段階により予測された前記発電量と前記交換量予測段階により予測された前記交換量とに基づいて、前記期間に前記ステーションにおいて系統を使用する使用電力量を予測する使用電力量予測段階と、を備える電力量予測方法。
【請求項１０】
電気で駆動する車両に対して着脱可能なバッテリを交換するためのステーションにおいて使用する電力量を予測するコンピュータに、
前記ステーションを設置する地点において、前記ステーションと共に設置する太陽光発電装置の予め定められた期間における発電量を予測する発電量予測段階と、
前記ステーションが前記地点に設置された場合に、前記ステーションで見込まれる前記バッテリの前記期間における交換量を予測する交換量予測段階と、
前記発電量予測段階により予測された前記発電量と前記交換量予測段階により予測された前記交換量とに基づいて、前記期間に前記ステーションにおいて系統を使用する使用電力量を予測する使用電力量予測段階と、を実行させるための電力量予測プログラム。
【発明の詳細な説明】
【技術分野】
【０００１】
本発明は、電力量予測装置、電力量予測方法、および電力量予測プログラムに関する。
【背景技術】
【０００２】
太陽光発電装置の設置により光熱費が削減されることを踏まえて、建物のリフォーム後の光熱費を予測することが行われている（例えば、特許文献１参照）。
［先行技術文献］
［特許文献］
［特許文献１］  特開２０１３−１９１１１１
【発明の概要】
【発明が解決しようとする課題】
【０００３】
しかしながら、建物の光熱費の削減だけでは太陽光発電装置を設置する十分な動機づけとはなっていない。
【課題を解決するための手段】
【０００４】
上記課題を解決するために、本発明の一態様においては、電力量予測装置が提供される。電力量予測装置は、電気で駆動する車両に対して着脱可能なバッテリを交換するためのステーションにおいて使用する電力量を予測する電力量予測装置であってもよい。電力量予測装置は、ステーションを設置する地点において、ステーションと共に設置する太陽光発電装置の予め定められた期間における発電量を予測する発電量予測部を備えてもよい。電力量予測装置は、ステーションが地点に設置された場合に、ステーションで見込まれるバッテリの期間における交換量を予測する交換量予測部を備えてもよい。電力量予測装置は、発電量予測部により予測された発電量と交換量予測部により予測された交換量とに基づいて、期間にステーションにおいて系統を使用する使用電力量を予測する使用電力量予測部を備えてもよい。
【０００５】
発電量予測部は、太陽光発電装置の設置面積と、地点における日射量とに基づいて、発電量を予測してもよい。
【０００６】
交換量予測部は、地点を含む地域の情報と、ステーションに収容されるバッテリの収容個数と、に基づいて交換量を予測してもよい。
【０００７】
使用電力量予測部は、期間における発電量と交換量とに基づいて、期間に系統へ売電する価格を予測する売電価格予測部と、期間における発電量と交換量とに基づいて、期間に系統から買電する価格を予測する買電価格予測部と、を備えてもよい。
【０００８】
使用電力量予測部は、設置面積と収容個数とを変数とした場合に予測される売電する価格と、設置面積と収容個数とを変数とした場合に予測される買電する価格との和が閾値以下となる設置面積と収容個数とを出力する演算部を備えてもよい。
【０００９】
使用電力量予測部により予測された使用電力量と、交換量予測部により予測された交換量に対応する、太陽光発電装置を用いずに系統を使用したときの電力量とを、比較可能に表示する表示部をさらに備えてもよい。
【００１０】
発電量及び交換量と、太陽光発電装置の製造および廃棄プロセスにおける二酸化炭素排出量と、太陽光発電装置の耐用年数および設置面積と、系統において予め定められた電力を発電するために生じる二酸化炭素排出量の情報とから、太陽光発電装置を設置した場合にステーションにおいて使用する電力の発電のために単位期間あたりに生じる二酸化炭素排出量と、太陽光発電装置を設置しない場合にステーションにおいて使用する電力の発電のために単位期間あたりに生じる二酸化炭素排出量と、を算出してもよい。
【００１１】
二酸化炭素排出量予測部により計算された、太陽光発電装置を設置した場合に生じる二酸化炭素排出量と、太陽光発電装置を設置しない場合に生じる二酸化炭素排出量と、を比較可能に表示する表示部をさらに備えてもよい。
【００１２】
本発明の一態様においては、電力量予測方法が提供される。電力量予測方法は、電気で駆動する車両に対して着脱可能なバッテリを交換するためのステーションにおいて使用する電力量を予測する電力量予測方法であってもよい。電力量予測方法は、ステーションを設置する地点において、ステーションと共に設置する太陽光発電装置の予め定められた期間における発電量を予測する発電量予測段階を備えてもよい。電力量予測方法は、ステーションが地点に設置された場合に、ステーションで見込まれるバッテリの期間における交換量を予測する交換量予測段階を備えてもよい。電力量予測方法は、発電量予測段階により予測された発電量と交換量予測段階により予測された交換量とに基づいて、期間にステーションにおいて系統を使用する使用電力量を予測する使用電力量予測段階を備えてもよい。
【００１３】
本発明の一態様においては、電力量予測プログラムが提供される。電力量予測プログラムは、電気で駆動する車両に対して着脱可能なバッテリを交換するためのステーションにおいて使用する電力量を予測するコンピュータに、ステーションを設置する地点において、ステーションと共に設置する太陽光発電装置の予め定められた期間における発電量を予測する発電量予測段階と、ステーションが地点に設置された場合に、ステーションで見込まれるバッテリの期間における交換量を予測する交換量予測段階と、発電量予測段階により予測された発電量と交換量予測段階により予測された交換量とに基づいて、期間にステーションにおいて系統を使用する使用電力量を予測する使用電力量予測段階と、を実行させる。
【００１４】
本発明の一態様においては、コンピュータに上記の決定方法を実行させるためのプログラムが提供される。
【００１５】
なお、上記の発明の概要は、本発明の必要な特徴の全てを列挙したものではない。また、これらの特徴群のサブコンビネーションもまた、発明となりうる。
【図面の簡単な説明】
【００１６】
【図１】充電ステーションの一例を示す。
【図２】電力量予測装置の機能ブロック図の一例を示す。
【図３】発電量予測部の機能ブロック図の一例を示す。
【図４】交換量予測部の機能ブロック図の一例を示す。
【図５】使用電力量予測部の機能ブロック図の一例を示す。
【図６】使用電力量演算部の動作を示すフローチャートである。
【図７】二酸化炭素排出量予測部の機能ブロック図の一例を示す。
【図８】発電量予測部により予測された発電量の一例を示すグラフである。
【図９】交換量予測部により予測された交換量の一例を示すグラフである。
【図１０】使用電力量予測部により予測された使用電力量の一例を示すグラフである。
【図１１】使用電力量予測部により作成された売電−買電価格グラフの一例を示す。
【図１２】二酸化炭素排出量予測部により予測された二酸化炭素排出量の一例を示すグラフである。
【図１３】表示部の表示画面の一例を示す。
【図１４】本発明の複数の態様が全体的又は部分的に具現化されうるコンピュータの例を示す図である。
【発明を実施するための形態】
【００１７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１８】
図１は、充電ステーション１０４の一例を示す。充電ステーション１０４は、バッテリ交換式の充電ステーションである。図１に示すように、充電ステーション１０４には、複数個の太陽光発電装置１０１と、バッテリ１０２の充電を行う充電装置１０３とが設置されている。車両１０５の保有者１０６は、残充電量が少ない車両１０５のバッテリ１０２を、充電装置１０３内の満充電されたバッテリ１０２と交換する。
【００１９】
太陽光発電装置１０１は、太陽光で発電を行うためのソーラーパネルである。太陽光発電装置１０１は、シリコン系のソーラーパネルであってもよく、化合物系のソーラーパネルであってもよい。バッテリ１０２は、交換可能なバッテリであり、外部からプラグ等を差し込むことにより充電される機能を備えてもよい。
【００２０】
充電装置１０３は、複数個のバッテリ１０２を内部に収容し、収容されたバッテリ１０２の充電を行う。図１に示すように、充電装置１０３は、２つのバッテリ交換口１０３ａ、１０３ｂを有する。バッテリ交換口１０３ａ、１０３ｂには、満充電されたバッテリ１０２が配置されており、車両１０５の保有者１０６は、満充電されたバッテリ１０２を取り出し、残充電量が少ない使用済みのバッテリ１０２を代わりに収容する。図１に示す例に代えて、充電装置１０３は、２個以上のバッテリ１０２が収容可能であってもよい。
【００２１】
車両１０５は、電気で駆動するバッテリ交換型の車両である。図１においては、車両１０５が４輪自動車である例が示されているが、車両１０５は２輪自動車、いわゆるバイクであってもよい。車両１０５は、電気モーターのみで走行する電気自動車（ＥＶ：Ｅｌｅｃｔｒｉｃ Ｖｅｈｉｃｌｅ）であってもよく、車内で発電する燃料電池車（ＦＣＶ：Ｆｕｅｌ Ｃｅｌｌ Ｖｅｈｉｃｌ）であってもよく、エンジンとモーターを使い分けながら走行するハイブリッドカー（ＨＶ：Ｈｙｂｒｉｄ Ｖｅｈｉｃｌｅ）であってもよく、外部から充電が可能なプラグインハイブリッドカー（ＰＨＥＶ・ＰＨＶ：Ｐｌｕｇ−ｉｎ Ｈｙｂｒｉｄ Ｖｅｈｉｃｌｅ）であってもよい。
【００２２】
図２は、電力量予測装置１００の機能ブロック図の一例を示す。電力量予測装置１００は、充電ステーション１０４において使用する電力量を予測する。電力量予測装置１００は、例えば、電力量予測装置１００の使用者が、地権者に対して充電ステーション１０４設置の提案を行うときに使用される。
【００２３】
図２に示すように、電力量予測装置１００は、入力部１０と、発電量予測部１１と、交換量予測部１２と、使用電力量予測部１３と、二酸化炭素排出量予測部１４と、表示部１５と、を備える。
【００２４】
電力量予測装置１００の使用者は、入力部１０に情報を入力する。使用者が入力する情報は、充電ステーション１０４を設置する地点の住所等の情報、当該地点で想定される太陽光発電装置１０１の設置面積又は設置個数、設置方位、設置角度、設置環境等の設置条件、太陽光発電装置１０１の型番の情報、当該地点で想定されるバッテリ１０２の収容個数、および当該地点のアクセス容易さ、等である。設置環境としては、当該地点における積雪量、予想される落ち葉の量等の、太陽光発電装置１０１の発電量に影響を与える要素が挙げられる。アクセス容易さは、例えば、当該地点が交通量の多い交差点の角などに位置していて、アクセスが良い地点であるか、または当該地点が住宅街の中の奥まった場所に位置しており、アクセルが悪い地点であるかなどの情報である。以下では、使用者が、地点「Ａ」、設置面積「Ｂ」、収容個数「Ｃ」、型番「Ｄ」の４つの情報を入力部１０に入力するものとして説明する。
【００２５】
図３は、発電量予測部１１の機能ブロック図の一例を示す。発電量予測部１１は、充電ステーション１０４を設置する地点において、充電ステーション１０４と共に設置する太陽光発電装置１０１の予め定められた期間における発電量を予測する。発電量予測部１１は、太陽光発電装置１０１の設置面積と、設置する地点における日射量とに基づいて、太陽光発電装置１０１の予め定められた期間における発電量を予測する。図３に示すように、発電量予測部１１は、発電量演算部１１１と、記憶部１１２とを備える。ここで、予め定められた期間とは、例えば１年、３か月、１か月、１日、半日、１時間などである。
【００２６】
記憶部１１２には、日本全国の年間日射量データ１１２１、年間天候データ１１２２、年間風速データ１１２３、および年間風向データ１１２４が記憶されている。年間日射量データ１１２１には、例えば、１年または数年分の毎日の時間帯ごと（例えば１時間ごと）の日照時間（ｈ）や、日射量（ｋＷｈ／ｍ ３）が含まれる。これに代えて、１日の時間帯ごとに、日照時間（ｈ）や、日射量（ｋＷｈ／ｍ ３）を１年分または数年分平均したものであってもよい。当該時間帯は、上記予め定められた期間と同じか、それよりも短い期間であることが好ましい。上記データ１１２１〜１１２４は、都道府県や市町村などの、地域ごとに生成されたデータである。
【００２７】
発電量演算部１１１は、入力部１０から使用者により入力された地点「Ａ」と設置面積「Ｂ」とを受け取る。発電量演算部１１１は、記憶部１１２に記憶された年間日射量データ１１２１を参照することにより、地点「Ａ」が含まれる地域の年間日射量を、地点「Ａ」の年間日射量とする。発電量演算部１１１は、この地点「Ａ」における年間日射量と、入力された設置面積「Ｂ」から、地点Ａにおける上記期間における発電量（ｋＷ）を予測する。発電量演算部１１１は、予測した発電量を使用電力量予測部１３に出力する。発電量演算部１１１は例えば地点「Ａ」における年間日射量に設置面積「Ｂ」を乗じることにより発電量を算出する。
【００２８】
なお、発電量演算部１１１は、地点「Ａ」における発電量を算出するために、地点「Ａ」における年間天候データ１１２２、年間風速データ１１２３、および年間風向データ１１２４をさらに考慮してもよい。また、使用者によって、太陽光発電装置１０１の設置方位、設置角度、設置環境等が入力された場合には、当該情報をさらに考慮して地点「Ａ」における発電量を算出してもよい。これら発電量に影響を与える情報は、例えば０から１までの値を有する係数と対応づけられていて、当該係数を乗じることで発電量を算出してもよい。また、発電量演算部１１１は、上記データ１１２１〜１１２４について、外部ネットワークから定期的に更新情報を取得し、更新を行ってもよい。
【００２９】
図４は、交換量予測部１２の機能ブロック図の一例を示す。交換量予測部１２は、充電ステーション１０４が地点に設置された場合に、充電ステーション１０４で見込まれるバッテリ１０２の予め定められた期間における交換量を予測する。交換量予測部１２は、地点を含む地域の情報と、充電ステーション１０４に収容されるバッテリ１０２の収容個数と、に基づいて上記期間における交換量を予測する。交換量予測部１２における予め定められた期間は、発電量演算部１１１における予め定められた期間であることが好ましいが、互いに異なっていてもよい。交換量予測部１２は、交換量演算部１２１と、記憶部１２２とを備える。
【００３０】
記憶部１２２には、日本全国の人口データ１２２１、交通量データ１２２２、バッテリ１０２を使用する車両１０５の台数のデータ１２２３、および既存の充電ステーションに関するデータ１２２４が記憶されている。上記データ１２２１〜１２２４は、都道府県や市町村などの、地域ごとに生成されたデータである。既存の充電ステーションに関するデータ１２２４には、例えば、地域ごとの充電ステーションの数、位置、充電ステーションの種類（バッテリ交換式、急速充電式等）に関するデータが含まれる。交通量データ１２２２は、例えば、１年または数年分の毎日の時間帯ごと（例えば１時間ごと）の車両通過台数が含まれる。これに代えて、交通量データ１２２２は、１日の時間帯ごとに、車両通過台数を１年分または数年分平均したものであってもよい。当該時間帯は、上記予め定められた期間と同じか、それよりも短い期間であることが好ましい。
【００３１】
交換量演算部１２１は、入力部１０から使用者により入力された地点「Ａ」と収容個数「Ｃ」とを受け取る。交換量演算部１２１は、地点「Ａ」が含まれる地域について、記憶部１１２に記憶されたデータ１２２１〜１２２４を参照することにより、上記期間における、地点「Ａ」において潜在的に存在する需要である潜在需要を計算する。地点「Ａ」における潜在需要は、地点「Ａ」が含まれる地域の人口、交通量、バッテリ１０２を使用する車両１０５の台数が増えるほど大きくなる。また、地点「Ａ」における潜在需要は、当該地域に存在する既存の充電ステーションの数が増えるほど小さくなり、既存の充電ステーションの位置が地点「Ａ」に近い位置であるほど小さくなる。
【００３２】
交換量演算部１２１は、計算した潜在需要と、使用者により入力された収容個数「Ｃ」とから、上記期間において、地点「Ａ」において交換が予測される電力量である交換量（ｋＷ）を算出する。交換量演算部１２１は、予測した交換量を使用電力量予測部１３に出力する。なお、交換量演算部１２１は、交換が予測されるバッテリ１０２の個数を交換量として算出してもよい。
【００３３】
なお、交換量演算部１２１は、地点「Ａ」における交換量を予測するために、使用者によって、地点「Ａ」のアクセス容易さが入力された場合には、当該情報をさらに考慮して地点「Ａ」における交換量を予測してもよい。この場合、アクセス容易さは、例えば５段階のレベルで示される情報である。交換量算出部１２１は当該レベルに対応した０から１の係数を乗じることにより、交換量を予測してもよい。また、交換量演算部１２１は、上記データ１２２１〜１２２４について、外部ネットワークから定期的に更新情報を取得し、更新を行ってもよい。
【００３４】
図５は、使用電力量予測部１３の機能ブロック図の一例を示す。使用電力量予測部１３は、発電量予測部１１により予測された発電量と交換量予測部１２により予測された交換量とに基づいて、予め定められた期間に充電ステーション１０４において電力系統を使用する使用電力量を予測する。使用電力予測部１３における予め定められた期間は、発電量演算部１１１における予め定められた期間であることが好ましいが、互いに異なっていてもよい。使用電力量予測部１３は、使用電力量演算部１３１と、売電価格予測部１３２と、買電価格予測部１３３とを備える。
【００３５】
使用電力量演算部１３１には、発電量予測部１１により予測された上記期間における発電量と、交換量予測部１２により予測された上記期間における交換量と、が入力される。入力される発電量および交換量は、入力部１０に入力された太陽光発電装置１０１の設置面積「Ｂ」と、バッテリ１０２の収容個数「Ｃ」と、に応じた発電量および交換量である。
【００３６】
使用電力量演算部１３１は、交換量予測部１２により予測された交換量から、発電量予測部１１により予測された発電量を減算することにより、上記期間に電力系統を使用する使用電力量（ｋＷ）を演算する。使用電力量演算部１３１は、発電量が交換量を上回るときは、売電価格予測部１３２に対して、上回った差分の電力量を出力し、発電量が交換量以下であるときは、買電価格予測部１３３に対して、差分の電力量を出力する。なお、使用電力量演算部１３１は、充電ステーション１０４の他の設備に使用される電力量を考慮して使用電力量を演算してもよい。
【００３７】
売電価格予測部１３２は、上記期間における発電量と交換量とに基づいて、上記期間に電力系統へ売電する価格（円）を予測する。売電価格予測部１３２は、売電単価データ１３２１を記憶している。売電単価データ１３２１は、例えば、１日の時間帯ごと（例えば１時間ごと）の売電価格のデータである。売電価格予測部１３２には、使用電力量演算部１３１から受け取った差分の電力量と、売電単価データ１３２１と、時間帯ごとの売電価格を算出し、使用電力量演算部１３１に出力する。
【００３８】
買電価格予測部１３３は、上記期間における発電量と交換量とに基づいて、上記期間に電力系統から買電する価格（円）を予測する。買電価格予測部１３３は、買電単価データ１３３１を記憶している。売電単価データ１３２１は、例えば、１日の時間帯ごと（例えば１時間ごと）の売電価格のデータである。買電価格予測部１３３には、使用電力量演算部１３１から受け取った差分の電力量と、買電単価データ１３３１とに基づいて、時間帯ごとの買電価格を算出し、使用電力量演算部１３１に出力する。
【００３９】
使用電力量演算部１３１は、売電価格予測部１３２および買電価格予測部１３３から受け取った時間帯ごとの売電価格および買電価格に基づいて、時間帯ごとの売電−買電価格グラフを作成し、表示部１５に出力する。使用電力量演算部１３１は、売電−買電価格グラフから売電価格および買電価格の上記期間、例えば一日、の合計値「Ｅ」を算出する。算出された合計値「Ｅ」は、太陽光発電装置１０１の設置面積「Ｂ」と、バッテリ１０２の収容個数「Ｃ」と、に応じた合計値（円）である。
【００４０】
ここで、必要以上に太陽光発電装置１０１の設置面積を増やすことは、太陽光発電装置１０１の設置費用が高くなるので望ましくない。一方、必要以上にバッテリ１０２の収容個数を増やすことは、充電装置１０３の設置費用が高くなるので望ましくない。すなわち、地点「Ａ」に設置する充電ステーション１０４の太陽光発電装置１０１の設置面積と、バッテリ１０２の収容個数とは、地点「Ａ」における需要と供給とがバランスする適正な面積および数であることが望ましい。地点「Ａ」に設置する充電ステーション１０４を需要と供給とのバランスは、例えば、売電価格の合計と買電価格の合計とが閾値以下となるような設置面積および収容個数により実現される。
【００４１】
よって、本実施形態において、使用電力量演算部１３１は、設置面積と収容個数とを変数とした場合に予測される売電する価格と、設置面積と収容個数とを変数とした場合に予測される買電する価格との和が閾値以下となる設置面積と収容個数とを計算する。ここで、上記閾値は、複数の既存の太陽光発電装置１０１付きの充電ステーションの売電価格データと買電価格データを参照して適切な値となるように予め定められる。ただし、上記閾値は日時や季節などに応じて動的に変動する値であってもよい。以下、上記設置面積と収容個数を計算するために使用電力量演算部１３１が行う処理について説明する。
【００４２】
使用電力量演算部１３１は、太陽光発電装置１０１の設置面積を、使用者により入力された「Ｂ」とは異なる「Ｂ１」として、発電量予測部１１に入力する。発電量予測部１１は、太陽光発電装置１０１の設置面積が「Ｂ１」である場合の発電量を予測し、使用電力量演算部１３１に出力する。なお、「Ｂ１」は、使用者により入力された「Ｂ」を基準に決定され、例えば「Ｂ」×０．５＜「Ｂ１」＜「Ｂ」×１．５となる値である。
【００４３】
同様に、使用電力量演算部１３１は、バッテリ１０２の収容個数を、使用者により入力された「Ｃ」とは異なる「Ｃ１」として、交換量予測部１２に入力する。交換量予測部１２は、バッテリ１０２の収容個数が「Ｃ１」である場合の交換量を予測し、使用電力量演算部１３１に出力する。なお、「Ｃ１」は、使用者により入力された「Ｃ」を基準に決定され、例えば「Ｃ」×０．５＜「Ｃ１」＜「Ｃ」×１．５となる値である。
【００４４】
使用電力量演算部１３１は、上記と同様の処理を行うことにより、太陽光発電装置１０１の設置面積が「Ｂ１」であって、バッテリ１０２の収容個数が「Ｃ１」である場合の売電価格および買電価格の一日の合計値「Ｅ１」を算出する。使用電力量演算部１３１は、合計値「Ｅ１」が予め定められた値以下であるかを判断する。
【００４５】
使用電力量演算部１３１は、設置面積について「Ｂ１」以外の「Ｂ２」〜「Ｂ〇〇」、収容個数について「Ｃ１」以外「Ｃ２」〜「Ｃ〇〇」の値についても演算し、合計値が予め定められた値以下である「Ｂｘ」および「Ｃｘ」の組み合わせを出力する。なお、「Ｂ１」〜「Ｂ〇〇」は、例えば「Ｂ」×０．５＜「Ｂ２」〜「Ｂ〇〇」＜「Ｂ」×１．５となる範囲で決定される。「Ｂ１」〜「Ｂ〇〇」は、例えば、「Ｂ」×０．５、「Ｂ」×０．６、「Ｂ」×０．７・・・「Ｂ」×１．５である１０通りの変数（「Ｂ」×１．０は除かれる）であってもよい。「Ｃ１」〜「Ｃ〇〇」は、例えば「Ｃ」×０．５＜「Ｃ２」〜「Ｃ〇〇」＜「Ｃ」×１．５となる範囲で決定される。「Ｃ１」〜「Ｃ〇〇」は、例えば、「Ｃ」×０．５、「Ｃ」×０．６、「Ｃ」×０．７・・・「Ｃ」×１．５である１０通りの変数（「Ｃ」×１．０は除かれる）であってもよい。
【００４６】
使用電力量演算部１３１は、設置面積について「Ｂ」以外の上記１０通りの変数を入力し、収容個数について「Ｃ」以外の上記１０通りの変数を入力して、売電価格および買電価格の一日の合計値を算出し、合計値が予め定められた値以下である「Ｂｘ」および「Ｃｘ」の組み合わせを出力する。合計値が予め定められた値以下である「Ｂｘ」および「Ｃｘ」の組み合わせが複数（例えば１０通り）出力された場合には、その中で合計値が小さい上位幾つか（例えば３通り）の組み合わせを出力してもよい。
【００４７】
図６は、使用電力量演算部１３１の動作を示すフローチャートである。図６は、地点「Ａ」における需要と供給とがバランスする適正な設置面積と収容個数を計算するために使用電力量演算部１３１が行う処理を示している。
【００４８】
電力量予測装置１００の使用者が入力部１０に、設置面積「Ｂ」と収容個数「Ｃ」とを入力する（Ｓ０１）。続いて、発電量予測部１１が設置面積「Ｂ」に基づいて発電量を予測し、交換量予測部１２が収容個数「Ｃ」に基づいて交換量を予測する（Ｓ０２）。発電量および交換量は使用電力量演算部１３１に入力され、使用電力量演算部１３１は発電量が交換量を上回ると（Ｓ０３：Ｙｅｓ）、売電価格予測部１３２に上回った差分の電力量を出力し、売電価格予測部１３２は、売電価格を予測する（Ｓ０４）。発電量が交換量以下である場合（Ｓ０３：Ｎｏ）、使用電力量演算部１３１は、買電価格予測部１３３に差分の電力量を出力し、買電価格予測部１３３は、買電価格を予測する（Ｓ０５）。
【００４９】
使用電力量演算部１３１は、売電価格と買電価格を受け取り、入力された設置面積「Ｂ」と収容個数「Ｃ」とに応じた売電価格と買電価格の合計値を演算する（Ｓ０６）。合計値が予め定められた値Ｘ以下である場合、設置面積「Ｂ」と収容個数「Ｃ」とは表示部１５に表示される（Ｓ０８）。合計値が予め定められた値Ｘを超える場合、使用電力量演算部１３１は、設置面積と収容個数とを変数として、発電量予測部１１と交換量予測部１２にそれぞれ入力する（Ｓ０９）。すなわち、設置面積と収容個数の新たな組み合わせが入力される（Ｓ１０：Ｙｅｓ）。ステップＳ０２からＳ０６の処理が繰り返され、設置面積と収容個数とに応じた売電価格と買電価格の合計値が再び演算される。なお、上記処理は、合計値が予め定められた値Ｘ以下である設置面積「Ｂｘ」と収容個数「Ｃｘ」とが複数出力されるまで繰り返されてもよい。設置面積と収容個数の新たな組み合わせがない場合（Ｓ１０：Ｎｏ）、「条件に合う設置面積と収容個数がない」旨を表示部に表示する（Ｓ０８）。
【００５０】
図７は、二酸化炭素排出量予測部１４の機能ブロック図の一例を示す。二酸化炭素排出量予測部１４は、太陽光発電装置１０１を設置した場合に充電ステーション１０４において使用する電力の発電のために単位期間あたりに生じる二酸化炭素排出量（ｃｃ）と、太陽光発電装置１０１を設置しない場合に充電ステーション１０４において使用する電力の発電のために単位期間あたりに生じる二酸化炭素排出量（ｃｃ）と、を算出する。
【００５１】
図７に示すように、二酸化炭素排出量予測部１４は二酸化炭素排出量演算部１４１と、記憶部１４２とを備える。記憶部１４２には、太陽光発電装置１０１の耐用年数データ１４２１と、太陽光発電装置１０１の製造および廃棄プロセスにおける二酸化炭素排出量データ１４２２と、電力系統において所定電力を発電するために生じる二酸化炭素排出量データ１４２３と、を記憶する。上記データ１４２１〜１４２３は、太陽光発電装置１０１の型番に紐付けられた情報として記憶される。
【００５２】
二酸化炭素排出量演算部１４１は、使用電力量予測部１３を経由して、発電量予測部１１により予測された発電量と、交換量予測部１２により予測された交換量とを受け取る。また、二酸化炭素排出量演算部１４１は、入力部１０から電力量予測装置１００の使用者により入力された太陽光発電装置１０１の設置面積「Ｂ」と、型番「Ｄ」を受け取る。
【００５３】
二酸化炭素排出量演算部１４１は、上記データ１４２１〜１４２３を参照して、設置面積「Ｂ」かつ型番「Ｄ」の場合の、太陽光発電装置１０１の耐用年数と、太陽光発電装置１０１の製造および廃棄プロセスにおける二酸化炭素排出量と、を算出する。続いて、二酸化炭素排出量演算部１４１は、予測された発電量および交換量と、算出された太陽光発電装置１０１の耐用年数および設置面積あたりの二酸化炭素排出量と、上記データ１４２３とから、太陽光発電装置１０１を設置した場合に充電ステーション１０４において使用する電力の発電のために単位期間あたりに生じる二酸化炭素排出量と、太陽光発電装置１０１を設置しない場合に充電ステーション１０４において使用する電力の発電のために単位期間あたりに生じる二酸化炭素排出量と、を算出する。なお、二酸化炭素排出量演算部１４１は、太陽光発電装置１０１の設置面積ごとに、二酸化炭素排出量を算出してもよい。
【００５４】
図８は、発電量予測部１１により予測された発電量の一例を示すグラフである。図８の曲線５１は、太陽光発電装置１０１の設置面積が「Ｂ１」である場合の発電量（ｋＷ）の時間帯ごとの予測値を示している。図８の曲線５２は、太陽光発電装置１０１の設置面積が「Ｂ１」より小さい「Ｂ２」である場合の発電量（ｋＷ）の時間帯ごとの予測値を示している。
【００５５】
なお、図８〜図１１は１年の平均値を示しているので、予め定められた期間が１年の例であるということもできるし、１日分について示しているので、予め定められ期間が１日であるということもできる。また、図８〜図１１においては、簡略化のために時間帯を「朝」、「昼」および「夜」として示した。時間帯を１時間としたときとの対応関係は、例えば「朝」は０時〜８時、「昼」は９時〜１６時、「夜」は１７時〜２３時である。
【００５６】
図９は、交換量予測部１２により予測された交換量の一例を示すグラフである。図９の曲線６１は、バッテリ１０２の収容個数が「Ｃ１」である場合の交換量（ｋＷ）の時間帯ごとの予測値を示している。図９の曲線６２は、バッテリ１０２の収容個数が「Ｃ１」より小さい「Ｃ２」である場合の交換量（ｋＷ）の時間帯ごとの予測値を示している。図９に示すように、バッテリ１０２の収容個数が少なくなると、充電待ちの人数が増えて充電の効率が落ちることが予想されるため、交換量は減少する。なお、交換量の予測値は、例えば年間の平均値で示されるが、月の平均値や、季節単位での平均値によって示されてもよい。
【００５７】
図１０は、使用電力量予測部１３により予測された使用電力量（ｋＷ）の一例を示すグラフである。図１０の曲線７１は、太陽光発電装置１０１の設置面積が「Ｂ１」であって、バッテリ１０２の収容個数が「Ｃ２」である場合の使用電力（ｋＷ）の時間帯ごとの予測値を示している。図１０の曲線７２は、太陽光発電装置１０１の設置面積が「Ｂ２」であって、バッテリ１０２の収容個数が「Ｃ１」である場合の使用電力（ｋＷ）の時間帯ごとの予測値を示している。曲線７１における「昼」の時間帯には、発電量が交換量を上回るため、使用電力量がマイナスとなり、電力系統への売電が可能である。一方で、曲線７１における「朝」および「夜」の時間帯には、交換量が発電量を上回るため、使用電力がプラスとなり、電力系統からの買電が必要となる。使用電力量の予測値は、例えば年間の平均値で示されるが、月の平均値や、季節単位での平均値によって示されてもよい。
【００５８】
図１１は、使用電力量予測部１３により作成された売電−買電価格グラフの一例を示す。図１１の曲線８１は、太陽光発電装置１０１の設置面積が「Ｂ１」であって、バッテリ１０２の収容個数が「Ｃ２」である場合の売電−買電価格（円）の時間帯ごとの予測値を示している。図１１の曲線８２は、太陽光発電装置１０１の設置面積が「Ｂ２」であって、バッテリ１０２の収容個数が「Ｃ１」である場合の売電−買電価格（円）の時間帯ごとの予測値を示している。売電−買電価格（円）の予測値は、例えば年間の平均値で示されるが、月の平均値や、季節単位での平均値によって示されてもよい。
【００５９】
ここで、図１１における曲線８２の買電価格と売電価格の合計値は、斜線で示される面積の合計値で示される。図１１から明らかなように、曲線８２の買電価格と売電価格の合計値は、曲線８１の買電価格と売電価格の合計値よりも小さい。したがって、地点「Ａ」における太陽光発電装置１０１の設置面積とバッテリ１０２の収容個数は、「Ｂ１」および「Ｃ２」よりも、「Ｂ２」および「Ｃ１」が適正であることが分かる。このように、地点「Ａ」における太陽光発電装置１０１の設置面積と、バッテリ１０２の収容個数を「Ｂ１」および「Ｃ２」とすると、需要に対して供給が過剰となり適正ではなくなるため、「Ｂ２」および「Ｃ１」とすべきことが分かる。
【００６０】
図１２は、二酸化炭素排出量予測部１４により予測された二酸化炭素排出量（ｃｃ）の一例を示すグラフである。図１２の曲線９１は、太陽光発電装置１０１の設置面積が、「０」、「Ｂ１」、「Ｂ２」、「Ｂ３」、「Ｂ４」である場合の、二酸化炭素排出量（ｃｃ）の予測値を示している。ここで、太陽光発電装置１０１の設置面積は、「Ｂ１」＞「Ｂ２」＞「Ｂ３」＞「Ｂ４」である。図１２に示すように、太陽光発電装置１０１の設置面積が大きくなるほど、二酸化炭素排出量は小さくなることが分かる。二酸化炭素排出量の予測値は、例えば年間の合計値で示されるが、月の合計値や、季節単位での合計値によって示されてもよい。
【００６１】
図１３は、表示部１５の表示画面の一例を示す。表示部１５は、二酸化炭素排出量予測部１４により計算された、太陽光発電装置１０１を設置した場合に生じる二酸化炭素排出量と、太陽光発電装置１０１を設置しない場合に生じる二酸化炭素排出量と、を比較可能に表示する。図１３に示すように、表示部１５には太陽光発電装置１０１の設置面積ごとの、二酸化炭素排出量の予測が表示されている。
【００６２】
表示部１５は、使用電力量予測部１３により予測された使用電力と、交換量予測部１２により予測された交換量に対応する、太陽光発電装置１０１を用いずに電力系統を使用したときの電力量とを、比較可能に表示してもよい。
【００６３】
以上、本実施形態に係る電力量予測装置１００によれば、充電ステーション１０４の設置地点「Ａ」における発電量および交換量を予測し、充電ステーション１０４において電力系統を使用する使用電力量を予測する。これにより、地権者に対して充電ステーション１０４設置の提案を行うときに、具体的な情報を提示して説得力を増すことができる。
【００６４】
以上、本実施形態に係る電力量予測装置１００によれば、充電ステーション１０４の設置地点「Ａ」における発電量および交換量を予測し、買電価格と売電価格の合計が予め定められた値以下となる太陽光発電装置１０１の設置面積と、バッテリ１０２の収容個数とを、算出する。これにより、地点「Ａ」における需要と供給とがバランスする適正な設備を地権者に提案することができる。
【００６５】
本実施形態に係る電力量予測装置１００によれば、太陽光発電装置１０１を設置した場合に生じる二酸化炭素排出量と、太陽光発電装置１０１を設置しない場合に生じる二酸化炭素排出量とを比較して表示部１５に表示することにより、地権者に提示する。これにより、太陽光発電装置１０１の設置のメリットを地球環境への配慮という面から地権者に対して具体的に提示することができる。
【００６６】
上記実施の形態では、電力量予測装置１００の使用者は、充電ステーション１０４を設置する地点に関する情報を電力量予測装置１００に入力して、電力量予測装置１００が当該入力データから予測される買電価格と売電価格等のデータを算出した。しかしながら、電力量予測装置１００の使用者は、シミュレーションのために、ダミーデータ等を用いて入力を行い、電力量予測装置１００が当該ダミーデータから予測される買電価格と売電価格等のデータを算出してもよい。
【００６７】
なお、図６に示すフローチャートにおいて、ステップＳ０７で合計値が予め定められた値Ｘ以下となるかどうかを判断しているが、判断の方法はこれに限られない。これに代えて、または、これに加えて、売電価格および買電価格の合計値の最も小さい方から上位Ｎ個（Ｎは正の整数）の、設置面積と収容個数の組み合わせを表示してもよい。
【００６８】
また、本発明の様々な実施形態は、フローチャートおよびブロック図を参照して記載されてよく、ここにおいてブロックは、（１）操作が実行されるプロセスの段階または（２）操作を実行する役割を持つ装置のセクションを表わしてよい。特定の段階およびセクションが、専用回路、コンピュータ可読媒体上に格納されるコンピュータ可読命令と共に供給されるプログラマブル回路、および／またはコンピュータ可読媒体上に格納されるコンピュータ可読命令と共に供給されるプロセッサによって実装されてよい。専用回路は、デジタルおよび／またはアナログハードウェア回路を含んでよく、集積回路（ＩＣ）および／またはディスクリート回路を含んでよい。プログラマブル回路は、論理ＡＮＤ、論理ＯＲ、論理ＸＯＲ、論理ＮＡＮＤ、論理ＮＯＲ、および他の論理操作、フリップフロップ、レジスタ、フィールドプログラマブルゲートアレイ（ＦＰＧＡ）、プログラマブルロジックアレイ（ＰＬＡ）等のようなメモリ要素等を含む、再構成可能なハードウェア回路を含んでよい。
【００６９】
コンピュータ可読媒体は、適切なデバイスによって実行される命令を格納可能な任意の有形なデバイスを含んでよく、その結果、そこに格納される命令を有するコンピュータ可読媒体は、フローチャートまたはブロック図で指定された操作を実行するための手段を作成すべく実行され得る命令を含む、製品を備えることになる。コンピュータ可読媒体の例としては、電子記憶媒体、磁気記憶媒体、光記憶媒体、電磁記憶媒体、半導体記憶媒体等が含まれてよい。コンピュータ可読媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭまたはフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ-ＲＯＭ）、デジタル多用途ディスク（ＤＶＤ）、ブルーレイ（ＲＴＭ）ディスク、メモリスティック、集積回路カード等が含まれてよい。
【００７０】
コンピュータ可読命令は、アセンブラ命令、命令セットアーキテクチャ（ＩＳＡ）命令、マシン命令、マシン依存命令、マイクロコード、ファームウェア命令、状態設定データ、またはＳｍａｌｌｔａｌｋ、ＪＡＶＡ（登録商標）、Ｃ＋＋等のようなオブジェクト指向プログラミング言語、および「Ｃ」プログラミング言語または同様のプログラミング言語のような従来の手続型プログラミング言語を含む、１または複数のプログラミング言語の任意の組み合わせで記述されたソースコードまたはオブジェクトコードのいずれかを含んでよい。
【００７１】
コンピュータ可読命令は、汎用コンピュータ、特殊目的のコンピュータ、若しくは他のプログラム可能なデータ処理装置のプロセッサまたはプログラマブル回路に対し、ローカルにまたはローカルエリアネットワーク（ＬＡＮ）、インターネット等のようなワイドエリアネットワーク（ＷＡＮ）を介して提供され、フローチャートまたはブロック図で指定された操作を実行するための手段を作成すべく、コンピュータ可読命令を実行してよい。プロセッサの例としては、コンピュータプロセッサ、処理ユニット、マイクロプロセッサ、デジタル信号プロセッサ、コントローラ、マイクロコントローラ等を含む。
【００７２】
図１４は、本発明の複数の態様が全体的または部分的に具現化されてよいコンピュータ２２００の例を示す。コンピュータ２２００にインストールされたプログラムは、コンピュータ２２００に、本発明の実施形態に係る装置に関連付けられる操作または当該装置の１または複数のセクションとして機能させることができ、または当該操作または当該１または複数のセクションを実行させることができ、および／またはコンピュータ２２００に、本発明の実施形態に係るプロセスまたは当該プロセスの段階を実行させることができる。そのようなプログラムは、コンピュータ２２００に、本明細書に記載のフローチャートおよびブロック図のブロックのうちのいくつかまたはすべてに関連付けられた特定の操作を実行させるべく、ＣＰＵ２２１２によって実行されてよい。
【００７３】
本実施形態によるコンピュータ２２００は、ＣＰＵ２２１２、ＲＡＭ２２１４、グラフィックコントローラ２２１６、およびディスプレイデバイス２２１８を含み、それらはホストコントローラ２２１０によって相互に接続されている。コンピュータ２２００はまた、通信インタフェース２２２２、ハードディスクドライブ２２２４、ＤＶＤ−ＲＯＭドライブ２２２６、およびＩＣカードドライブのような入／出力ユニットを含み、それらは入／出力コントローラ２２２０を介してホストコントローラ２２１０に接続されている。コンピュータはまた、ＲＯＭ２２３０およびキーボード２２４２のようなレガシの入／出力ユニットを含み、それらは入／出力チップ２２４０を介して入／出力コントローラ２２２０に接続されている。
【００７４】
ＣＰＵ２２１２は、ＲＯＭ２２３０およびＲＡＭ２２１４内に格納されたプログラムに従い動作し、それにより各ユニットを制御する。グラフィックコントローラ２２１６は、ＲＡＭ２２１４内に提供されるフレームバッファ等またはそれ自体の中にＣＰＵ２２１２によって生成されたイメージデータを取得し、イメージデータがディスプレイデバイス２２１８上に表示されるようにする。
【００７５】
通信インタフェース２２２２は、ネットワークを介して他の電子デバイスと通信する。ハードディスクドライブ２２２４は、コンピュータ２２００内のＣＰＵ２２１２によって使用されるプログラムおよびデータを格納する。ＤＶＤ−ＲＯＭドライブ２２２６は、プログラムまたはデータをＤＶＤ−ＲＯＭ２２０１から読み取り、ハードディスクドライブ２２２４にＲＡＭ２２１４を介してプログラムまたはデータを提供する。ＩＣカードドライブは、プログラムおよびデータをＩＣカードから読み取り、および／またはプログラムおよびデータをＩＣカードに書き込む。
【００７６】
ＲＯＭ２２３０はその中に、アクティブ化時にコンピュータ２２００によって実行されるブートプログラム等、および／またはコンピュータ２２００のハードウェアに依存するプログラムを格納する。入／出力チップ２２４０はまた、様々な入／出力ユニットをパラレルポート、シリアルポート、キーボードポート、マウスポート等を介して、入／出力コントローラ２２２０に接続してよい。
【００７７】
プログラムが、ＤＶＤ−ＲＯＭ２２０１またはＩＣカードのようなコンピュータ可読媒体によって提供される。プログラムは、コンピュータ可読媒体から読み取られ、コンピュータ可読媒体の例でもあるハードディスクドライブ２２２４、ＲＡＭ２２１４、またはＲＯＭ２２３０にインストールされ、ＣＰＵ２２１２によって実行される。これらのプログラム内に記述される情報処理は、コンピュータ２２００に読み取られ、プログラムと、上記様々なタイプのハードウェアリソースとの間の連携をもたらす。装置または方法が、コンピュータ２２００の使用に従い情報の操作または処理を実現することによって構成されてよい。
【００７８】
例えば、通信がコンピュータ２２００および外部デバイス間で実行される場合、ＣＰＵ２２１２は、ＲＡＭ２２１４にロードされた通信プログラムを実行し、通信プログラムに記述された処理に基づいて、通信インタフェース２２２２に対し、通信処理を命令してよい。通信インタフェース２２２２は、ＣＰＵ２２１２の制御下、ＲＡＭ２２１４、ハードディスクドライブ２２２４、ＤＶＤ−ＲＯＭ２２０１、またはＩＣカードのような記録媒体内に提供される送信バッファ処理領域に格納された送信データを読み取り、読み取られた送信データをネットワークに送信し、またはネットワークから受信された受信データを記録媒体上に提供される受信バッファ処理領域等に書き込む。
【００７９】
また、ＣＰＵ２２１２は、ハードディスクドライブ２２２４、ＤＶＤ−ＲＯＭドライブ２２２６（ＤＶＤ−ＲＯＭ２２０１）、ＩＣカード等のような外部記録媒体に格納されたファイルまたはデータベースの全部または必要な部分がＲＡＭ２２１４に読み取られるようにし、ＲＡＭ２２１４上のデータに対し様々なタイプの処理を実行してよい。ＣＰＵ２２１２は次に、処理されたデータを外部記録媒体にライトバックする。
【００８０】
様々なタイプのプログラム、データ、テーブル、およびデータベースのような様々なタイプの情報が記録媒体に格納され、情報処理を受けてよい。ＣＰＵ２２１２は、ＲＡＭ２２１４から読み取られたデータに対し、本開示の随所に記載され、プログラムの命令シーケンスによって指定される様々なタイプの操作、情報処理、条件判断、条件分岐、無条件分岐、情報の検索／置換等を含む、様々なタイプの処理を実行してよく、結果をＲＡＭ２２１４に対しライトバックする。また、ＣＰＵ２２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ２２１２は、第１の属性の属性値が指定される、条件に一致するエントリを当該複数のエントリの中から検索し、当該エントリ内に格納された第２の属性の属性値を読み取り、それにより予め定められた条件を満たす第１の属性に関連付けられた第２の属性の属性値を取得してよい。
【００８１】
上で説明したプログラムまたはソフトウェアモジュールは、コンピュータ２２００上またはコンピュータ２２００近傍のコンピュータ可読媒体に格納されてよい。また、専用通信ネットワークまたはインターネットに接続されたサーバーシステム内に提供されるハードディスクまたはＲＡＭのような記録媒体が、コンピュータ可読媒体として使用可能であり、それによりプログラムを、ネットワークを介してコンピュータ２２００に提供する。
【００８２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８３】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８４】
１０  入力部、１１  発電量予測部、１２  交換量予測部、１３  使用電力量予測部、１４  二酸化炭素排出量予測部、１５  表示部、５１，５２  発電量の予測値、６１，６２  交換量の予測値、７１，７２  使用電力の予測値、８１，８２  売電−買電価格グラフ、９１  二酸化炭素排出量の予測値、１００  電力量予測装置、１０１  太陽光発電装置、１０２  バッテリ、１０３  充電装置、１０４  充電ステーション、１０５  車両、１１１  発電量演算部、１１２  記憶部、１２１  交換量演算部、１２２  記憶部、１３１  使用電力量演算部、１３２  売電価格予測部、１３３  買電価格予測部、１４１  二酸化炭素排出量演算部、１４２  記憶部、１１２１〜１１２４，１２２１〜１２２４，１３２１〜１３３１，１４２１〜１４２３  データ、２２００  コンピュータ、２２０１  ＤＶＤ−ＲＯＭ、２２１０  ホストコントローラ、２２１２  ＣＰＵ、２２１４  ＲＡＭ、２２１６  グラフィックコントローラ、２２１８  ディスプレイデバイス、２２２０  入／出力コントローラ、２２２２  通信インタフェース、２２２４  ハードディスクドライブ、２２２６  ＤＶＤ−ＲＯＭドライブ、２２３０  ＲＯＭ、２２４０  入／出力チップ、２２４２  キーボード  
【図１】
2020154429.tif 000003
【図２】
2020154429.tif 000004
【図３】
2020154429.tif 000005
【図４】
2020154429.tif 000006
【図５】
2020154429.tif 000007
【図６】
2020154429.tif 000008
【図７】
2020154429.tif 000009
【図８】
2020154429.tif 000010
【図９】
2020154429.tif 000011
【図１０】
2020154429.tif 000012
【図１１】
2020154429.tif 000013
【図１２】
2020154429.tif 000014
【図１３】
2020154429.tif 000015
【図１４】
2020154429.tif 000016